(57)【要約】 【課題】組立と取り扱いが簡単な時計の留め金を提供すること。【解決手段】  本発明の時計の留め金は、レバーと、連結ピンと、前記連結ピンに搭載される第１留め要素と、前記第１留め要素と共働する第２留め要素とを有する。前記連結ピンは、前記レバーと一体に形成され、前記連結ピンと前記レバーがその回りを回転する第１回転軸を規定する。前記第１留め要素は、前記第１回転軸から離れた位置にある第２回転軸の回りを回転する。前記第２留め要素は、レバーが閉位置か開位置によって、前記留め金を閉じたり開いたりする。前記第１留め要素は、前記レバーが閉位置から開位置に駆動された時には、第３回転軸の回りを回転し、前記第２回転軸は、前記第１回転軸に対して、以下のように、配置される。前記レバーが閉位置から開位置に駆動されると、前記第２回転軸は、幾何学面から外側に、前記第３回転軸の方向の移動成分を有する移動量（Ｒ）だけ移動する。【選択図】  図２
2013172960.tif 000002
【特許請求の範囲】
【請求項１】
時計のムーブメント用のケース（４）と、ブレスレット（８）と、留め金（１２）とを有する時計において、
前記留め金（１２）は、
（Ａ）レバー（１４；１４Ｂ）と、
（Ｂ）連結ピン（１６）と、
（Ｃ）前記連結ピン（１６）に搭載される第１留め要素（１８）と、
（Ｄ）前記第１留め要素（１８）と共働する第２留め要素（２０）と、
を有し、
前記連結ピン（１６）は、前記レバーと一体に形成され、前記連結ピン（１６）と前記レバー（１４；１４Ｂ）がその回りを回転する第１回転軸（２４）を規定し、
前記第１留め要素（１８）は、前記第１回転軸（２４）から離れた位置にある第２回転軸（２６）の回りを回転し、
前記第２留め要素（２０）は、レバーが閉位置か開位置にあるかによって、前記留め金（１２）を閉じたり開いたりし、
前記閉位置においては、前記第１と第２の留め要素（１８，２０）が互いに組み立てられ、
前記開位置においては、前記第１と第２の留め要素（１８，２０）が互い分離しており、
前記第１留め要素（１８）は、前記レバー（１４；１４Ｂ）が閉位置から開位置に駆動された時には、第３回転軸（２８Ｉ）の回りを回転し、
前記第２回転軸は、前記第１回転軸に対して、以下のように、配置され、
前記レバーが閉位置から開位置に駆動されると、前記第２回転軸（２６）は、前記第１回転軸（２４）と第３回転軸（２８Ｉ）を結ぶ幾何学面（３０）から外側に、ゼロではない前記第３回転軸（２８Ｉ）の方向の移動成分（ＰＲ）を有する移動量（Ｒ）だけ、移動し、
前記第２回転軸（２６）は、前記レバーが開位置から閉位置に駆動された時に、逆方向に回転する
ことを特徴とする時計。
【請求項２】
前記留め金のレバーは、第１ロック要素（３８；４０；５０）と、それと共働する第２ロック要素（４２；４４；４８）とを有し、
前記第１ロック要素は、前記留め金が閉じた時に、前記レバーが配置される面に向くかそれと反対の面に配置され、これによりレバーの閉位置を確保し、前記レバーは、ユーザが留め金を開くことにより、開放される
ことを特徴とする請求項１記載の時計。
【請求項３】
前記第１留め要素（１８）は、バックルである
ことを特徴とする請求項１又は２記載の時計。
【請求項４】
前記第２留め要素（２０）は、フックである
ことを特徴とする請求項１−３のいずれかに記載の時計。
【請求項５】
前記留め金は、機械的トグル型の機構の留め金を構成し、
前記レバーが閉位置にある時には、前記連結ピン（１６）は、前記第２回転軸（２６）が、前記ブレスレットの内側で前記幾何学面（３０）の下側にあるように、配置され、
前記レバーが閉位置から開位置に駆動された時には、前記第２回転軸（２６）は、前記幾何学面（３０）を通る
ことを特徴とする請求項１−４のいずれかに記載の時計。
【請求項６】
前記ブレスレット（８）は、前記留め金が閉じている時には、時計の利用者の手首に固定されずに、ある量の引っ張り力を、前記第１留め要素（１８）又は第２留め要素（２０）に加えることができるよう、前記ケース（４）に連結され、
前記引っ張り力は、前記レバーが閉位置にある時には、前記第１留め要素（１８）と第２留め要素（２０）が互いに組み立てられるようにしている
ことを特徴とする請求項５記載の時計。
【請求項７】
前記ブレスレット（８）は、準剛性材料から形成され、
前記ブレスレット（８）は、前記ブレスレット（８）を構成する２つの部品（８Ａ，８Ｂ）がヒンジで互いにあたるように、又は
前記ブレスレットの端部は、前記ケースの一部で２つの装置に当たり、前記第２留め要素（２０）は、前記留め金が閉じられている時の前記第２留め要素（２０）と第１回転軸（２４）との間の距離よりも長い前記レバー（１４）からの距離に、配置される。
ことを特徴とする請求項６記載の時計。
【請求項８】
前記留め金（１２）は、前記ケース（４）の側のブレスレット（８）の端部に配置され、
前記第２留め要素（２０）は、前記ケース（４）と一体の剛性部分に連結されるか又は前記ケースと一体となった剛性部分に搭載された連結ピンに連結され、これにより前記第１回転軸の回りを回転可能である
ことを特徴とする請求項１−７のいずれかに記載の時計。
【請求項９】
前記レバー（１４）は、時計ケース（４）の側に折りたたまれる
ことを特徴とする請求項８記載の時計。
【請求項１０】
前記レバー（１４）は、時計ケース（４）上に伸び、
前記レバー（１４）は、時計の表示板用の開口（１５）を有する
ことを特徴とする請求項９記載の時計。
【発明の詳細な説明】
【技術分野】
【０００１】
本発明は、時計の外付け部品に関し、特に時計のブレスレットに取り付けられる留め金に関する。
【背景技術】
【０００２】
様々なタイプの留め金を具備した腕時計が提案されている。フレキシブルなブレスレットあるいはストラップ用の留め金は、バックルとそのバックルを貫通するトングから構成され、そのブレスレットのストランドには複数の孔が設けられている。バックルを具備した留め金は、金属製又はセラミック製のリンクから構成されるブレスレットに特に用いられている。
他のタイプの留め金も提案されている。例えば側面にプッシュボタンを具備した装置あるいは固定要素を他のブレスレットのストランドに組み立てるラッチ／カバーを具備した装置がある。例えば、このカバーは、スナップあるいは力を入れて固定する他のシステムにより閉じられるかあるいはプッシュボタンの形式で閉じられる。
【発明の概要】
【発明が解決しようとする課題】
【０００３】
本発明の目的は、組立と取り扱いが簡単な留め金を提供することである。本発明の目的によれば、留め金は時計のケースの側に取り付けられて、時計のケースの美観の向上に寄与する。
【課題を解決するための手段】
【０００４】
本発明は、時計のムーブメント用のケースと、ブレスレットと、留め金とを有する時計に関する。前記留め金は、レバーと、連結ピンと、前記連結ピンに搭載される第１留め要素と、前記第１留め要素と共働する第２留め要素とを有する。前記連結ピンは、前記レバーと一体に形成され、前記連結ピンと前記レバーがその回りを回転する第１回転軸を規定する。前記第１留め要素は、前記第１回転軸から離れた位置にある第２回転軸の回りを回転する。前記第２留め要素は、レバーが閉位置か開位置にあるかによって、前記留め金を閉じたり開いたりする。前記閉位置においては、前記第１と第２の留め要素が互いに組み立てられ、前記開位置においては、前記第１と第２の留め要素は互い分離している。前記第１留め要素は、前記レバーが閉位置から開位置に駆動された時には、第３回転軸の回りを回転する。前記第２回転軸は、前記第１回転軸に対して以下のように配置される。前記レバーが閉位置から開位置に駆動されると、前記第２回転軸は、前記第１回転軸と第３回転軸を結ぶ幾何学面から外側に、ゼロではない前記第３回転軸の方向の移動成分を有する移動量だけ移動する。前記第２回転軸は、前記レバーが開位置から閉位置に駆動された時に、逆方向に回転する。
【０００５】
本発明の一実施例によれば、前記留め金は、機械的トグル型の機構の留め金を構成し、前記レバーが閉位置にある時には、前記連結ピンは、前記第２回転軸が、前記ブレスレットの内側で前記幾何学面の下側にあるように、配置される。前記レバーが閉位置から開位置に駆動された時には、前記第２回転軸は、前記幾何学面を通る。
【０００６】
本発明の一実施例によれば、前記ブレスレットは、前記留め金が閉じている時には、時計の利用者の手首に固定されずに、ある量の引っ張り力を、前記第１留め要素又は第２留め要素に加えることができるよう、前記ケース（４）に連結される。前記引っ張り力は、前記レバーが閉位置にある時には、前記第１留め要素と第２留め要素が互いに組み立てられるようにしている。
【０００７】
本発明の一実施例によれば、前記留め金は、前記ケースの側のブレスレットの端部に配置される。前記第２留め要素は、前記ケースと一体の剛性部分に連結されるか又は前記ケースと一体となった剛性部分に搭載された連結ピンに連結され、これにより前記第１回転軸の回りを回転可能である。
【０００８】
本発明の一実施例によれば前記レバーは、時計ケース上に伸び、時計の表示板用の開口を有する。
【図面の簡単な説明】
【０００９】
【図１】本発明の第１実施例の腕時計の斜視図。
【図２】留め金が開位置にある図１に示す腕時計の横から見た斜視図。
【図３】留め金が開位置にある図１に示す腕時計の上から見た斜視図。
【図４】留め金が閉位置にある図１に示す腕時計の側面。
【図５】本発明の変形例による機械式トグル機構の留め金の構成と動作を示す図。
【図６】閉位置にある留め金にレバーを固定するシステムの部分断面図。
【図７】閉位置にある留め金を具備した腕時計の第１実施例の側面図。
【図８】開位置にある留め金を具備した図７に類似する側面図。
【図９】図７の腕時計のブレスレットと留め金の中心線で切った部分断面図。
【発明を実施するための形態】
【００１０】
図１−６に本発明の第１実施例を示す。腕時計２は、時計ムーブメント用のケース４と、ブレスレット８と、ブレスレット８に連結される留め金１２とを有する。ブレスレット８は、ある程度のフレキシビリティを有する剛性材料（準剛性材料）製の第１部分８Ａと第２部分８Ｂとから構成される。留め金１２は、ケース４の側でブレスレット８の一端に配置されている。留め金１２は、レバー１４と、このレバー１４に一体に形成され第１回転軸２４を具備する連結ピン１６とを有する。この第１回転軸２４の周囲を連結ピン１６とレバー１４が回転する。留め金１２は、第１留め要素１８と第２留め要素２０とを有する。第１留め要素１８は、第１回転軸２４から離れた位置にある第２回転軸２６の回りを回転するよう連結ピン１６に搭載される。第２留め要素２０は、第１留め要素１８と共働して、レバー１４が閉位置（図１）にあるか又は開位置（図２）にあるかによって、留め金１２を開閉する。閉位置（図１）においては、第１と第２の留め要素１８，２０が互いに組み立てられて（連結されて）いる。開位置（図２）においては、第１と第２の留め要素１８，２０は互いに分離している。第２回転軸２６は、レバー１４が動かされた時に、第１回転軸２４の回りを回転する。第１回転軸２４とケース４に連結される基準システム（連結ピン１６はこのケースに固定された部分３２に搭載されているので第１回転軸２４はケースに固定されている）においては、第２回転軸２６は開始点２６Ｉから終了点２６Ｆに動く（図５）。
【００１１】
同図に示す変形例として、第１留め要素１８はバックルで構成される。このバックル１８は矩形で連結ピン１６の側で開いている。このバックル１８の両端はそれぞれ同軸孔３４Ａ，３４Ｂに挿入されて、第２回転軸２６を規定する。この同軸孔３４Ａ，３４Ｂは、２つの類似の連結ピン１６を構成する要素１６Ａ，１６Ｂに開けられ、レバー１４のベースにより互いに連結される。部分３２はケース４と一体に構成され、要素１６Ａと１６Ｂの間に挿入される。
他の変形例においては、ケースの２個の一体部分が要素１６Ａ，１６Ｂの代わりをし、それぞれが第１回転軸２４用の孔を有し、１本連結ピンを、部分３２代わりに２個の固定部分内の間に配置する逆の構成にしてもよい。
さらなる変形例においては、例えばバックルである第１留め要素１８はＴ字型要素で構成し、このフックをその中間部品に機械加工を施して２つのツメを得るようにしてもよい。これらは、それぞれＴ字の上部の横棒を規定する２本の横棒を保持し、Ｔ字の垂直棒はこの２本のツメの間を通過する。
【００１２】
一変形例においては、第２の留め要素２０はフックで構成される。同図において、フック２０は、剛性のブレスレットの一端を形成する。フックは、他の変形例においては、ブレスレット８に組み立てられる別個の要素で構成してもよい。
図１−４において、ブレスレットの第２部分８Ｂは、ケースを包囲する部分に連続して繋がり部分３２で終端する。この部分３２に連結ピン１６が搭載される。他の変形例においては、部分３２は、ケースに直接固定されるか、ケースの少なくとも一部と一体に形成される。
【００１３】
図１−６に示す第１実施例の変形例においては、レバー１４は、閉位置にあり、時計ケースの側に折り畳まれている。好ましくはレバー１４は、閉位置にあり、時計ケースの上に伸び、少なくとも１個の開口１５を具備して、ケース４のガラス７の下にある時計表示部分を少なくとも部分的に見えるようにしている。
一変形例においては、ケース４は、レバー１４が閉じられた時に、開口１５を通して見えるようにしてもよい。
他の変形例においては、フック２０はケース４と一体に形成され、連結ピン１６からなるユニットを構成し、レバー１４とバックル１８は、ブレスレット８と一体に形成してもよい。
【００１４】
図５に示す本発明によれば、第１留め要素１８は、レバー１４が閉位置から開位置に駆動される時に、第１留め要素１８は、第３回転軸の初期位置２８Ｉの回りを少なくとも最初は回転する。第２回転軸２６は第１回転軸２４に対して以下が実現されるよう配置される。即ち、レバー１４が閉位置から開位置に動いた時に、この第２回転軸２６が、移動距離Ｒだけ移動し、幾何学面３０から飛び出す。この幾何学面３０は、第１回転軸２４と第３回転軸２８を繋ぐ面である。移動距離Ｒは、第３回転軸の初期位置２８Ｉの方向の移動距離成分ＰＲ（ゼロではない）を有する。この第２回転軸２６は、レバー１４が開位置から閉位置に駆動された時には、逆の動きをする。
これらの特徴により、留め金が閉じらた時に、バックル１８がフック２０に嵌まり、その結果ブレスレットの長さは、レバー１４が開位置にある時よりも短くなる。これにより、ブレスレットの引っ張り力が増加する、特にブレスレットの長さが腕時計２のユーザの手首の太さに調整された時（バックル１８がフック２０に挿入されてレバー１４が開位置にある時）には、引っ張り力が増すことになる。レバー１４が動かされると、第１留め要素であるバックル１８が、回転と移動を有する複雑な動きをする。ケース４と第１回転軸２４に連結された基準システムにおいては、第３回転軸は、初期位置２８Ｉと最終位置２８Ｆの間を動く。前記の最終位置は、様々なパラメータ特にフックによる引っ張り力と、留め金が開いた時のフックの動きに依存する。
【００１５】
図１−５に示す変形例においては、ブレスレット８は、第１部分８Ａと第２部分８Ｂが、図２に示すヒンジ３６で互いに当接（連結）するよう構成される。この状態において、フック２０は第１回転軸２４からある距離離れた位置にあり、この距離は留め金１４が閉じられた時の前記フック２０と前記第１回転軸２４との間の距離よりも長い。
一般的に、この変形例においては、ブレスレット８は前記ケース４に取り付けられて、ユーザの手首にはめずに、ある引っ張り力を第２留め要素であるフック２０にかけるか、あるいは留め金１４が閉位置にあるときには第１留め要素であるバックル１８にかける。前記引っ張り力で、前記レバーが閉位置にある時に、バックル１８とフック２０を互いに組み立てる。
【００１６】
図５に示すように、本発明の他の変形例によれば、留め金１２は、機械的なトグル型機構の留め金を構成する。連結ピン１６は、レバー１４が閉位置（初期位置２６Ｉ）にある時に、第２回転軸２６がブレスレットの内側で幾何学面３０の下側にくるよう配置される。レバー１４が閉位置から開位置（最終位置２６Ｆ）に移動する時には、第２回転軸２６は、幾何学面３０の上を通過する。
レバー１４が閉位置と開位置の間を移動する時は、フック２０は、最初に連結ピン１６に近づき、特に第１回転軸２４の方に近づき、その後、最終的に留め金１２を開くことができる距離だけ離される。
留め金閉位置が閉じられた時に、フック２０に引っ張り力がかかると、上記の変形例においては、この引っ張り力即ちブレスレットの第１部分８Ａの引っ張り力が、最大引っ張り力に対応する位置３１に到達するまでの初期フェーズで増加する。位置３１は、第２回転軸２６が幾何学面３０内にあり３本の軸が正確に並んだ状態に対応する。
次に、引っ張り力が減少し、ブレスレットの構成によっては、レバー１４がその開位置により近づく最終フェーズにおいてはゼロになる。かくして、トグル型の機構の留め金は、レバーの軌道上で一種の「ハードポイント（繰越点）」を有する。これはレバーをロックせずに閉位置に保持できるので、非常に好ましい利点である。
【００１７】
ブレスレットに引っ張り力が係っている時には、トグル型の機構のシステムでは、留め金を閉位置に保持することができ、図６の変形例においては、レバー１４の閉位置が確保される。
これを達成するためには、第１ロック要素４０をレバー１４に形成し、ケース４の所定部分に形成された相補型の第２ロック要素４４と共働させる。この所定部分は、留め金が閉じられた時にレバー１４が配置される側に向かいあう側である。
このケースにおいては、ロックシステムはパチンと填まり込むシステムであり、リセス３８の側面壁に形成された第１ロック要素であるビーク（鳥のくちばし形状部分）４０が、第２ロック要素であるフランジ４４に形成された空洞４２に填まり込む形態である。ユーザが留め金を開くと、レバーが開放される。
【００１８】
図７−９は本発明の第２実施例を示す。第２実施例が第１実施例と異なる点は、留め金の配置位置である。この留め金の配置位置は、従来と同様に、ケース４の時計のある側の反対側である、即ちユーザの手首の裏側である。留め金１２は、上記のものに類似するため説明は割愛する。レバー１４Ｂは開口（時計の文字板用の）を有さない。
【００１９】
ブレスレット８は、ストランド９、１０により構成される。各ストランドは、ケース４に、それぞれ留め装置５，６により組み立てられる。好ましくは、ストランド９，１０は、準剛性材料製である。その一例は、金属材料又は剛性材料例えば硬質プラスチックである。
閉位置にある留め金に引っ張り力を生成するために、ブレスレットの端部は、ケースの一部で２つの装置にあたる。第２留め要素２０は、、留め金が閉じられている時の第２留め要素２０と第１回転軸２４との間の距離よりも長くなるようなレバー１４からの距離に、配置される。
【００２０】
図９に示す変形例においては、レバー１４Ｂの閉位置は、プッシュボタン型のロックシステムにより保持される。ボール型ボタン４８は、ブレスレットのストランド９に固定され、レバー１４Ｂに形成されたホール５０の中に填り込む。このホール５０は、凹んだ側面壁を有する。本明細書を参照することにより、レバー１４Ｂを閉位置にロックする他の実施例も当業者には明らかである。
連結ピン１６が搭載されるブレスレットの部分は、ブレスレットストランドの端部に固定されるストランド９の要素を構成する。同様に、第２留め要素であるフック２０はストランド１０の個別の要素により形成され、ストランド１０の端部に固定される。
この変形例においては、ブレスレットのストランドをフレキシブルにする例えばレザー製にすることも可能であり、これはレザーをロックシステムに閉位置に保持するからである。機械的なトグル機構の機能に必要な引っ張り力は最早必要ではない。ブレスレットの長さがユーザの手首の調整されると、ある程度の引っ張り力が留め金を閉じたときに表れて、手首に締め付けるために第２留め要素２０に引っ張り力を加える。
【００２１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のものを含んでもよい。「Ａ，Ｂ，Ｃの内の少なくとも１つ」は、Ａ，Ｂ，Ｃ単独のみならずＡ，Ｂの組合せＡ，Ｂ，Ｃの組合せでもよい。「Ａ，Ｂと／又はＣ」は、Ａ，Ｂ，Ｃ単独のみならず、Ａ，Ｂの２つ、或いはＡ，Ｂ，Ｃの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００２２】
２    腕時計
４    ケース
５，６  留め装置
８    ブレスレット
８Ａ  内側部分
８Ｂ  外側部分
７    ガラス
９，１０  ストランド
１２  留め金
１４  レバー
１４Ｂ
１５  開口
１６  連結ピン
１６Ａ，１６Ｂ  要素
１８  第１留め要素（バックル）
２０  第２留め要素（フック）
２４  第１回転軸
２６  第２回転軸
２６Ｉ  開始点
２６Ｆ  終了点
２８Ｉ  第３回転軸
２８Ｆ
３０  幾何学面
３２  部分
３４Ａ，３４Ｂ  同軸孔
３６  ヒンジ
３８  リセス
４０  第１ロック要素
４２  空洞
４４  第２ロック要素（フランジ）
４８  ボール型ボタン
５０  ホール
【図１】
2013172960.tif 000003
【図２】
2013172960.tif 000004
【図３】
2013172960.tif 000005
【図４】
2013172960.tif 000006
【図５】
2013172960.tif 000007
【図６】
2013172960.tif 000008
【図７】
2013172960.tif 000009
【図８】
2013172960.tif 000010
【図９】
2013172960.tif 000011